(57)【要約】【課題】打設が容易で効果の大きいコンクリート部材の付着割裂防止筋。【解決手段】Ｕ字形またはコ字形の背部１２で主筋２を取り巻き、その足部１３を主筋２の軸方向に直交させてコンクリート部材の内部側に向け、主筋２に沿って配設されるコンクリート部材の付着割裂防止筋において、該足部１３に抜け防止部材１４を設けて、応力付加時の抜けを防止し付着割裂防止筋の効果を確実にする。また、割裂防止筋に弾性部材を設けてこの弾性により割裂防止筋を主筋に固定して自立させ、あるいは複数の割裂防止筋を一筆書きで作り、または割裂防止筋を弾性を有する板部材により作製して、付着割裂防止筋と主筋の結束を省略または簡素化してコンクリート打設を容易にしコストを低減する。また、本発明の結束金物を使用することにより鉄筋の結束作業が簡易化される。【選択図】  図１
2005002752.tif 000002
【特許請求の範囲】
【請求項１】
Ｕ字形またはコ字形の背部で主筋を取り巻き、その足部を主筋の軸方向に直交させてコンクリート部材の内部側に向け、主筋に沿って配設されるコンクリート部材の付着割裂防止筋において、該足部に抜け防止部材が設けられたことを特徴とするコンクリート部材の付着割裂防止筋。
【請求項２】
Ｕ字形またはコ字形の背部で主筋を取り巻き、その足部を主筋の軸方向に直交させてコンクリート部材の内部側に向け、主筋に沿って配設されるコンクリート部材の付着割裂防止筋において、該割裂防止筋を弾性により主筋に固定させる弾性部材が該割裂防止筋に設けられたことを特徴とするコンクリート部材の付着割裂防止筋。
【請求項３】
Ｕ字形またはコ字形の背部で主筋を取り巻き、その足部を主筋の軸方向に直交させてコンクリート部材の内部側に向け、主筋に沿って複数配設されるコンクリート部材の付着割裂防止筋において、該複数の割裂防止筋が一筆書きで作られる形状をなすことを特徴とするコンクリート部材の付着割裂防止筋。
【請求項４】
Ｕ字形またはコ字形の背部で主筋を取り巻き、その足部を主筋の軸方向に直交させてコンクリート部材の内部側に向け、主筋に沿って配設されるコンクリート部材の付着割裂防止筋において、該割裂防止筋が弾性を有して主筋を挟む板部材からなることを特徴とするコンクリート部材の付着割裂防止筋。
【請求項５】
Ｕ字形またはコ字形の足部を主筋の軸方向に直交させてコンクリート部材の内部側に向けて配設される付着割裂防止筋の、主筋を取り巻く背部の上にＨ形状の板部材のステム部を被せて、該Ｈ形状のリブ部を主筋に巻き付けることにより、前記付着割裂防止筋を主筋に結束するＨ形状の板部材からなることを特徴とする付着割裂防止筋の結束金物。
【発明の詳細な説明】
【０００１】
【産業上の利用分野】
本発明は、コンクリート柱又は梁などの鉄筋コンクリート部材の効果的、効率的な強度改善のための付着割裂防止筋に関するものである。
【０００２】
【従来の技術】
コンクリート柱や梁には、通常軸方向に配筋された主筋の外周にフープ状にせん断補強筋を巻いて配筋されたかご形鉄筋が使用されている。このせん断補強筋には、部材のせん断強度を上げるために高強度の鋼材が使用されている。
【０００３】
最近の高層建築におけるコンクリート柱あるいは梁等に使われるコンクリート及びせん断補強筋は高強度化されているので、コンクリート部材の強度はせん断強度式（Ｑｓｕ）でなく付着強度式（Ｑｂｕ）によって決まることが多い。そのために、コンクリート部材の強度が主筋周辺の付着割裂破壊によって決まるので、せん断補強筋の強度を上げたり補強量を増大させても、割裂破壊のために部材の強度が向上しない状況にある。
【０００４】
そこで、この付着割裂を防止してコンクリート部材の強度を増すために、付着割裂防止筋についての発明が開示されている（例えば、特許文献１及び２）。
【０００５】
これに対し発明者らは、低価格の鋼材を付着割裂防止筋として使用し、簡単な施工で付着強度を上げることで、高強度せん断補強筋の効果を十分に引き出し、コンクリート部材の強度対コストを効果的かつ経済的に発揮する付着割裂防止筋を発明してこれを開示した（特許文献３）。
【０００６】
【特許文献１】
特公昭６０−１４７０号公報
【特許文献２】
特開平４−６８１６４号公報
【特許文献３】
特開２００３−５６１１９号公報
【０００７】
【発明が解決しようとする課題】
上記特許文献のうち本発明者らが開示した特許文献３付着割裂防止筋について説明する。図６は特許文献３の付着割裂防止筋を施行した一実施形態の鉄筋コンクリート部材の断面図である。図の上半分は一本の主筋に付着割裂防止筋を使用した場合の状態、下半分は２本の主筋に跨がって付着割裂防止筋を使用した場合の状態を示す。
【０００８】
図６の断面図に示すように、コンクリート部材１は、軸方向に配列された複数の主筋２を囲んでせん断補強筋３が配筋されている。付着割裂防止筋４は、背部４ａで主筋２を囲み、足部４ｂを主筋２に直交させ、足部先端が構造体１の内側に向くようにして配設される。これにより、主筋２の回りのコンクリートがＵ字形付着割裂防止筋４により拘束されて、コンクリートの割裂破壊が防止されコンクリート強度が向上する。２本の主筋に跨がって使用される付着割裂防止筋５についても同様である。
【０００９】
前記本発明者らが開示した上記特許文献３の付着割裂防止筋は、低価格の鋼材を付着割裂防止筋として使用して付着強度を上げ、高強度せん断補強筋の効果を引き出してコンクリート部材の性能を向上させるものである。しかし、さらに付着割裂防止筋の効果を増し、コンクリート打設における配筋作業を簡易にしてコストを低減することが要望されている。
【００１０】
そこで本発明は、さらに前記付着割裂防止筋の効果を増し、かつコンクリート工事に当たり打設を容易にする付着割裂防止筋を提供することを目的とする。
【００１１】
【課題を解決するための手段】
すなわち本発明の付着割裂防止筋は、前記従来発明の付着割裂防止筋と同様にして使用され、コンクリート部材に外力が作用した場合に、主筋に沿ってコンクリートを割り裂こうとする作用を防ぐことを目的に、主筋を取り巻くＵ字形あるいはコ字形の付着割裂防止筋を配設し、これによりコンクリートの付着を拘束して割裂破壊を抑制し、コンクリート部材の強度を向上するものである。しかし、本発明の付着割裂防止筋は、上記効果を一層増すとともに、打設工事を一層簡易にすることを目的とするものである。
【００１２】
上記目的を達成するために、本第１発明のコンクリート部材の付着割裂防止筋は、Ｕ字形またはコ字形の背部で主筋を取り巻き、その足部を主筋の軸方向に直交させてコンクリート部材の内部側に向け、主筋に沿って配設されるコンクリート部材の付着割裂防止筋において、該足部に抜け防止部材が設けられたことを特徴とするものである。
【００１３】
前記従来発明の付着割裂防止筋は、足部先端が直線のためにコンクリート部材に応力が付加された際に付着割裂防止筋が抜け出して部材強度が低下するおそれがある。そこで本第１発明の付着割裂防止筋は、足部に抜け防止部材を設けることにより抜け出しを防止して付着割裂防止筋の効果を一層大きくするものである。
【００１４】
また本第２発明のコンクリート部材の付着割裂防止筋は、Ｕ字形またはコ字形の背部で主筋を取り巻き、その足部を主筋の軸方向に直交させてコンクリート部材の内部側に向け、主筋に沿って配設されるコンクリート部材の付着割裂防止筋において、該割裂防止筋を弾性により主筋に固定させる弾性部材が該割裂防止筋に設けられたことを特徴とするものである。
【００１５】
すなわち、本第２発明の付着割裂防止筋は、付着割裂防止筋に設けられた弾性部材により付着割裂防止筋を主筋に固定させることができる。これにより付着割裂防止筋が自立し、付着割裂防止筋と主筋を結束しないでも、あるいは結束を簡素化してもコンクリート打設の際に付着割裂防止筋が水平、上下、回転方向に移動することがないので、結束の工数が減じコンクリート打設が容易になりコストを低減できる。
【００１６】
さらに本第３発明のコンクリート部材の付着割裂防止筋は、Ｕ字形またはコ字形の背部で主筋を取り巻き、その足部を主筋の軸方向に直交させてコンクリート部材の内部側に向け、主筋に沿って複数配設されるコンクリート部材の付着割裂防止筋において、該複数の割裂防止筋が一筆書きで作られることを特徴とするものである。
【００１７】
すなわち本第３発明の付着割裂防止筋は、複数の割裂防止筋が一筆書きで作られるので、割裂防止筋が安定して配設でき、主筋との結束が容易で結束の工数が減じコンクリート打設が容易になりコストを低減できる。また、同時に割裂防止筋の抜け出しを防止して効果をあげることができる。
【００１８】
また本第４発明のコンクリート部材の付着割裂防止筋は、Ｕ字形またはコ字形の背部で主筋を取り巻き、その足部を主筋の軸方向に直交させてコンクリート部材の内部側に向け、主筋に沿って配設されるコンクリート部材の付着割裂防止筋において、該割裂防止筋が弾性を有して主筋を挟む板部材からなることを特徴とするものである。
【００１９】
すなわち本第４発明の付着割裂防止筋は割裂防止筋が板部材からなり、弾性によって主筋を挟んで保持されので、割裂防止筋が安定して配設が容易になり、主筋との結束の工数がトータルとして減じコンクリート打設が容易になりコストを低減できる。
【００２０】
上記発明のコンクリート部材の付着割裂防止筋は、複数の付着割裂防止筋を連結部材により連結して、１列の主筋あるいは複数の主筋に沿って配設することにより施工が一層容易になる。
【００２１】
また、本発明の第５発明の付着割裂防止筋の結束金物は、Ｕ字形またはコ字形の足部を主筋の軸方向に直交させてコンクリート部材の内部側に向けて配設される付着割裂防止筋の、主筋を取り巻く背部の上にＨ形状の板部材のステム部を被せて、該Ｈ形状のリブ部を主筋に巻き付けることにより、前記付着割裂防止筋を主筋に結束するＨ形状の板部材からなることをことを特徴とするものである。
【００２２】
上記本発明の結束金物は付着割裂防止筋の取り付けだけでなく、通常の鉄筋同士の結束も簡易化するので効果が大きい。
【００２３】
【発明の実施の形態】
［第１発明の実施形態］
以下、本発明の実施形態について具体的に説明する。図１は本第１発明の実施形態の付着割裂防止筋の斜視図である。
【００２４】
前記従来発明の付着割裂防止筋は、図５に示すように付着割裂防止筋の足部４ｂの先端が直線になっていたために、コンクリート部材に応力が加わった場合、付着割裂防止筋が抜け出る可能性があった。そこで本第１発明の付着割裂防止筋は足部に抜け防止部材を設けて、付着割裂防止筋の抜け出しを防止して付着割裂防止筋の効果を高めるものである。
【００２５】
図１の付着割裂防止筋１０は、すべて背部１２で主筋２を囲み足部１３を主筋２の軸方向に直交させてコンクリート部材の内部側に向けて主筋に沿って配設されている。図１（ａ），（ｂ），（ｃ）は、付着割裂防止筋１０の足部１３の先端をそれぞれ内側、外側、下側に曲げて抜け防止部材１４を形成している。この抜け防止部材１４は一体の棒鋼を曲げてもよいし、溶接などにより別部材を固着してもよい。
【００２６】
図１（ｄ）は足部１３を波状に曲げて複数の波型の抜け防止部材１４としている。図１（ｅ）は足部１３にねじ状の刻みを設けて抜け防止部材１４としている。このねじ状の刻みの代わりに螺旋状の突起を有する異形棒鋼を用いてもよい。
図１（ｆ），（ｇ）は足部１３をそれぞれ外側に曲げ、あるいは内側に曲げて抜け防止部材１４としている。図１（ｈ）は両側の足部１３を連結してリンク状の抜け防止部材１４としている。図１（ｊ）は足部１３の先端にプレートを固着して抜け防止部材１４としている。
【００２７】
上記付着割裂防止筋はいずれも、足部に抜け防止部材が設けられており、コンクリートにかかる応力により付着割裂防止筋が抜け出すことがないので、割裂防止の効果が発揮できる。なお、上記実施形態では、１本の主筋の付着割裂防止筋について示したが、図５に示す付着割裂防止筋５のように２本以上の主筋に跨がる付着割裂防止筋にしてもよい。また、これらの付着割裂防止筋の複数を縦方向あるいは横方向に並べて連結棒に固着して連結し、主筋に沿って付設してもよい。これによりコンクリートの打設が容易になる。
【００２８】
［第２発明の実施形態］
図２は本第２発明の付着割裂防止筋の実施形態を示す斜視図である。本実施形態では、付着割裂防止筋１０の背部１２を環状にして、この環状部に主筋２を挟んで、環状部の弾性により付着割裂防止筋１０を主筋２に固定するものである。
これにより結束しないでも、あるいは簡単に結束するだけで付着割裂防止筋が主筋に自立するので、コンクリートの打設が容易になる。図２（ａ）、（ｂ）、（ｃ）は足の開きが異なるだけで同じ機能を有する。
【００２９】
［第３発明の実施形態］
図３は本第３発明の付着割裂防止筋の実施形態を示す斜視図である。図３（ａ）は１本の主筋２の複数か所の付着割裂防止筋１０、１０´を一筆書きで連結している。図３（ｂ）は直交する複数本数の主筋２，２´の付着割裂防止筋１０、１０”を一筆書きで連結しており、図３（ｃ）は１本の主筋２の複数か所と他の直交する主筋２´の付着割裂防止筋１０、１０´、１０”を一筆書きで連結している。これらは、一本の棒鋼から曲げて作ることもでき、溶接等により接続してもよい。また、さらに複数本数の主筋の複数か所の付着割裂防止筋を一筆書きで製作してもよい。これにより、付着割裂防止筋と主筋との結束を簡単にすることができ、また前記第１発明の抜け防止効果も発揮できる。
【００３０】
図３（ｄ）は主筋２を囲む付着割裂防止筋１０の回りを、さらに割裂防止筋１１で囲んで一筆書きに連結したもので、付着割裂防止筋の効果を一層大きくすることができる。
【００３１】
図３（ｅ）は複数の主筋２、２…の回りに付着割裂防止筋１０、１０´、１０”…を一筆書きで連結した付着割裂防止筋である。これにより、付着割裂防止筋と主筋との結束を簡単にし、コンクリート打設工事が容易になる。
【００３２】
［第４発明の実施形態］
図４は本第４発明の付着割裂防止筋の実施形態を示す斜視図である。付着割裂防止筋１０は板状部材により作られ、弾性を有しているので、その足部で主筋２を挟むことにより、結束しないでも、あるいは簡易な結束で主筋に安定して取り付けることができ、全体として配筋コストが低減できる。
【００３３】
［第５発明の実施形態］
図５は本第５発明の付着割裂防止筋の結束金物の形態を示す斜視図である。図に示すように本発明の結束金物１５は、展開したときＨ形状を有する板部材からなる。そして、主筋２を取り巻く付着割裂防止筋１０の背部１２の上にＨ形状のステム部１５ａを被せて、そのリブ部１５ｂを付着割裂防止筋１０の足部１３を跨いで主筋に巻き付けてかしめ、主筋２と付着割裂防止筋１０を結束する。これにより簡便に主筋と付着割裂防止筋の結束ができる。
【００３４】
本第５発明の結束金物は、付着割裂防止筋の取り付けだけでなく、通常の鉄筋同士の結束にも効果が大きい。
【００３５】
以上述べたように本発明の付着割裂防止筋は、付着割裂防止筋の足部に抜け防止部材が設けられているので、コンクリート部材に応力が働いても付着割裂防止筋が抜け出すことがなく付着割裂防止筋の効果を発揮する。
【００３６】
また本発明の付着割裂防止筋は、付着割裂防止筋に弾性により主筋に固着させる弾性部材が設けられているので、付着割裂防止筋が自立でき、コンクリート打設の際に付着割裂防止筋が移動することがなく、付着割裂防止筋を主筋に固着するための結束が不要または軽減でき、コンクリート打設が容易になる。
【００３７】
また本発明の付着割裂防止筋は、複数の割裂防止筋が一筆書きで作られ、あるいは割裂防止筋が板部材からなるので、割裂防止筋が安定し主筋との結束が容易でかつ少なくて済む。これによりコンクリート打設が容易になる。
【００３８】
さらに本発明の付着割裂防止筋の結束金物は、Ｈ形状の板部材からなり、そのステム部を付着割裂防止筋に被せて、リブ部を主筋に巻き付けてかしめることにより付着割裂防止筋と主筋を結束するので、結束作業が簡易になる。
【００３９】
【発明の効果】
以上説明したように、本発明の付着割裂防止筋は、従来の付着割裂防止筋に比して付着割裂防止筋の効果が増し、コンクリート打設が容易になるのでコンクリート部材の強度と安定性を増す。また、本発明の付着割裂防止筋の結束金物により鉄筋の結束が簡易になる。これらにより、コンクリート打設のコストを低減することができる。
【図面の簡単な説明】
【図１】本第１発明の実施形態の付着割裂防止筋の斜視図である。
【図２】本第２発明の実施形態の付着割裂防止筋の斜視図である。
【図３】本第３発明の実施形態の付着割裂防止筋の斜視図である。
【図４】本第４発明の実施形態の付着割裂防止筋の斜視図である。
【図５】本第５発明の実施形態の付着割裂防止筋の結束金物の斜視図である。
【図６】特許文献３（従来発明）の付着割裂防止筋を施行したコンクリート部材の断面図である。
【符号の説明】
１  コンクリート部材（構造体）、２  主筋、３  せん断補強筋、４、５  付着割裂防止筋、１０付着割裂防止筋、１２  背部、１３  足部、１４  抜け防止部材、１５  結束金物
【図１】
2005002752.tif 000003
【図２】
2005002752.tif 000004
【図３】
2005002752.tif 000005
【図４】
2005002752.tif 000006
【図５】
2005002752.tif 000007
【図６】
2005002752.tif 000008